(57)【要約】      （修正有）【課題】振動検知手段を簡単な方法で軸受ハウジングを大型化することなく、かつ既製のハウジングに対しても装着できる測定装置を有する軸受ハウジングを提供する。【解決手段】少なくとも二つのセンサ１８を備えた測定装置を有する軸受ハウジングであって、センサは軸受ハウジング内の軸受に回転自在に支持される軸体の振動を検出するために配設され、測定装置は外部データ集計そして処理の少なくとも一方を行なう手段に接続されており、軸受ハウジングは台座部２を有し、重量を減らすように下方に開口して空所７〜１０が形成されている台座部２を有している軸受ハウジングにおいて、センサ１８が空所８の側壁面に取外し可能に取り付けられた保持部材１１内に配設され、保持部材１１が空所８の内部に完全に没して配置されていて、センサ１８が二つの直角方向の振動を検知するように位置する。【選択図】図２
0003113568.tif 000002
【実用新案登録請求の範囲】
【請求項１】
少なくとも二つのセンサ（１８）を備えた測定装置を有する軸受ハウジングであって、上記センサは軸受ハウジング内の軸受に回転自在に支持される軸体の振動を検出するために配設され、上記測定装置は外部データ集計そして処理の少なくとも一方を行なう手段に接続されており、軸受ハウジングは、台座部（２）を有するタイプであり、重量を減らすように下方に開口して空所（７，８，９，１０）が形成されている台座部（２）を有している軸受ハウジングにおいて、センサ（１８）が空所（８）の側壁面に取外し可能に取り付けられた保持部材（１１）内に配設され、該保持部材（１１）が上記空所（８）の内部に完全に没して配置されていて、該センサ（１８）が二つの直角方向の振動を検知するように位置していることを特徴とする測定装置を有する軸受ハウジング。
【請求項２】
保持部材（１１）が複数のセンサのうちの一つである第一のセンサを受け入れるようになっている第一の凹部（１４）を有し、他の凹部（１７）が第一の凹部に直角に位置していると共に第二のセンサを受け入れるように形成されており、上記凹部（１４，１７）がこれらセンサを不動に保持する大きさそして形状になっていることとする請求項１に記載の測定装置を有する軸受ハウジング。
【請求項３】
保持部材（１１）が前記の外部データ集計そして処理の少なくとも一方を行なう手段に接続するケーブル（１２）を受け入れるための凹部（１５）と、センサ（１８）を駆動するプリント回路基板（２０）を収容する凹部（１６）とを有していることとする請求項１又は請求項２に記載の測定装置を有する軸受ハウジング。
【請求項４】
保持部材（１１）は軸受ハウジングに関して半径方向及び軸線方向にセンサ（１８）を配置するよう軸受ハウジングの台座部（２）内の空所（８）の壁面に取り付け可能な平行六面体であることとする請求項３に記載の測定装置を有する軸受ハウジング。
【考案の詳細な説明】
【技術分野】
【０００１】
本考案は、測定装置を有する軸受ハウジングに関するものである。
【背景技術】
【０００２】
回転荷重を支持する軸受についての種々の軸受適用例では、軸受ハウジング内に配置された軸受で支持された回転軸体の回転速度だけでなく、軸受の機能に影響をもたらし、そして／又は、軸受の状態を示す色々な他のパラメータを知ることは大きな関心事である。このようなパラメータとしては、温度や振動が挙げられる。この温度は重要で、実際の内部温度であるので、これを測定するためには、軸受ハウジング内部に温度検知装置を配置することが必要である。又、回転する軸受の内軌道輪及び軸体が軸受ハウジング内部にあるので、センサ及び測定装置が比較的保護されているハウジング内部位置に配することができれば、軸受ハウジング内で回転速度を記録するための測定装置を適切な位置に配置することとなり具合がよい。
【特許文献１】発見できず
【考案の開示】
【考案が解決しようとする課題】
【０００３】
しかし、多分にスペースの理由で、実際は、複数の振動センサは、軸受ハウジング内に配置されずに、軸受ハウジングの外側に、すなわち、軸受ハウジングの上部若しくは軸受ハウジングの台座の上側に配置されており、かかる部位では、センサは、軸体に対して該センサを正確な位置となるように、特別に設けられた面に取り付けられる。しかし、この従前から行われてきた振動センサの位置付けには、いくつかの欠点がある。主として、センサは上述のごとく位置付けられ、剛性の高い軸受ハウジングの壁に外部に幾分突出しているため、それ故、衝撃、湿気、及び塵埃のような環境からの影響を受けやすい。
【０００４】
問題としている軸受ハウジングは、内部に軸受座と軸体のための開口が形成された軸受ハウジングの下側半分に設けられた台座部を有する下部材と、下部材とボルトによって接続される軸受ハウジングの上部材とを有している。軸受ハウジングの下部材の台座部は機械のフレームに軸受ハウジングを固定するためのボルト孔が形成されている。近年、軸受ハウジングの台座部の下側には、台座部の下面に開口する空所が形成されている。このような空所の目的は主としてハウジングの重量軽減であるが、その軸受ハウジングの下部材の底面はハウジングの取り付けられる基台或いはフレームと接面する面積を小さくすることも目的とし、したがって、軸受ハウジング底面全領域を平らに加工しなくとも良くなる。
【０００５】
本考案の目的は、振動を検知するための測定装置を有し、上記欠点を解決できる軸受ハウジングを提供することである。
【課題を解決するための手段】
【０００６】
本考案によれば、上記目的は、少なくとも二つのセンサを備えた測定装置を有する軸受ハウジングであって、上記センサは軸受ハウジング内の軸受に回転自在に支持される軸体の振動を検出するために配設され、上記測定装置は外部データ集計そして処理の少なくとも一方を行なう手段に接続されており、軸受ハウジングは、台座部を有するタイプであり、重量を減らすように下方に開口して空所が形成されている台座部を有している軸受ハウジングにおいて、センサが空所の側壁面に取外し可能に取り付けられた保持部材内に配設され、該保持部材が上記空所の内部に完全に没して配置されていて、該センサが二つの直角方向の振動を検知するように位置していることにより達成される。
【考案の効果】
【０００７】
以上説明したように、本考案によれば、振動検知手段が軸受ハウジングの外側にあっても隠れて位置し、保持部材は軸受ハウジング内部の限りある空間に対しても邪魔とはならなず、さらには、複数のセンサを組み合わせた保持部材の配置を容易に決定することができ、センサは、安全な状態のもとで軸受ハウジングの軸線方向及び半径方向の振動を検出することができる。
【考案を実施するための最良の形態】
【０００８】
以下、本考案について図面に示された好適な実施形態に基づいて更に説明するが、本考案は図示の実施形態に限定されるものではない。
【０００９】
図１の軸受ハウジングの下部材１は、台座部２と、該台座部２から上方に突き出ていて転がり軸受の外輪を支持するための半円筒状の軸受座４と軸受内に支持される軸体を通過させるための二つの互いに対向する半円筒状の端部の開口部５とが形成された実質的に半円筒の器状の主部３とを有している。軸受座４に隣接するハウジング壁の内側には、軸の回転速度そして／又は軸受ハウジング内の現在の温度の検出のためのセンサを受け入れるように配置された第一の保持部材６が設けられている。これらのセンサ６からの出力は、ケーブルを経由或いは他の適切な方法で不図示のデータ集計機器又は制御装置等に転送される。
【００１０】
図２は、軸受ハウジングの下部材１を底部からみた斜視図である。この図からわかるように、台座部２の底部は複数の空所７，８，９，１０が形成されており、これらは主に重量を減らすために、又、軸受ハウジングの底部が該軸受ハウジングの取り付けの対象たる機械のフレーム若しくは類似の部材と接面すべき脚部の面積を減らすために形成され、更に、これによって、フレーム表面を平坦に加工する要求度が軽減される。
【００１１】
これらの空所８のうちの一つの内部には、該空所８の内壁面に取り付けられて、不図示のデータ集計機器そして／又は制御装置とケーブル１２によって接続されている第二の保持部材１１が収められている。図示のごとく、保持部材１１は、空所８内に位置しているので、台座部２の底部がなす平面より完全に内部に収まって位置している。この保持部材１１は、複数の振動センサ若しくは加速度計、例えば、ＭＯＮＩＴＲＡＮ１３４３１９（英国、モニトラン社の商品型番）或いは市場で入手可能な他の同様なセンサを支持するためのものであり、少なくとも二つのそのようなセンサを互いの既知の相対的方向、望ましくは互いに直角方向に配置して組み合わしている。
【００１２】
軸受ハウジングの台座部２を下方からみて拡大して示す図３で、保持部材１１は、ねじ１３によって空所８の内壁面に取外し可能に取り付けられている。ここで、保持部材１１は、平行六面体に形成され、ハウジングの空所の内壁面に対して取り付けできる側面を有し、ここによって、保持部材１１はその主軸線を軸受ハウジングの側面に対して直角にそしてそれぞれが平行に位置決めできる。
【００１３】
図４は、例えば図３にて説明した保持部材１１の一方の端部からみた図である。この図から明らかなように、好ましくはプラスチック材料から作られた保持部材１１は、図示の実施形態では、六角ロッドの形をなしその端部から軸線方向に延びた三つの凹部をもっている。円筒状の空洞をなす第一の凹部１４は、例えば、上述の形式の円筒状の本体をなす振動センサ若しくは加速度計を収容するためのものである。次に、小さい方の凹部１５は、ケーブル１２を収容するためのものであるが、第三の凹部１６は、実施形態では断面が切頭三角形をなし、保持部材１１内に設けられた複数のセンサを駆動するためのプリント回路基板を収容するためのものである。溝１４ａは、第一の凹部１４と、プリント回路基
板を第一の振動センサに相互連結させる接続線を通すための第三の凹部１６との間に形成される。
【００１４】
図５（ａ）では、図４の中で示されたものと同じ保持部材１１を反対の端部側から且つ図４の中で上部に位置する保持部材の長手側からみたもの示している。この図から明らかなように、保持部材１１の側面には、第一の凹部１４に対して直角に第四の凹部１７が形成され、この第四の凹部１７は、円筒状の穴をなし、振動センサ或いは加速度計、例えば、上述の形式のＭＯＮＩＴＲＡＮタイプのものを収容する。図示のごとく、第四の凹部１７の壁には、加速度計と第三の凹部１６内のプリント回路基板との間に接続線を通すための小さい開口部１７ａが設けられている。更に、図５（ｂ）には、保持部材１１の後方で部分的に隠れているが、保持部材１１の第一の凹部１４及び第四の凹部１７に装着する形式の接続線１９付加速度計１８が示されている。ねじ１３のための穴は、図示されてないが、保持部材１１の側面にあることが理解されるであろう。
【００１５】
図６乃至図８は、本考案による保持部材１１の異なる方向からみた図であり、図６は図４で示されるのと同じ端部からみた図であるが、異なる凹部そして保持部材内部の細部との間の関係は透視して破線で図示されている。図７は、保持部材１１を図８における上方からみた図を示し、図６と同様の方法で表示されている。これらの図では、第三の凹部１６に配置されたプリント回路基板を２０で示している。
【００１６】
加速度計１８の機能は、それ自体公知であるが、少なくとも二つの振動センサ或いは加速度計１８を互いに直交する位置に配置することによって、二つの方向での振動を検出、つまり、第一の凹部１４内のセンサによって軸受軸線方向での振動を検出し、第四の凹部１７内のセンサによって軸受の半径方向での振動を検出できることがわかる。軸受ハウジングの台座部下部の空所内に形成された自由空間は、本来他の目的のためのものであり、これまでそのような他の目的のために使用されているが、本考案では、これに加えて、この空所の中に保持部材、センサ、及びプリント回路基板を保護して配置するために使用している。
【００１７】
かくして、振動検知手段をこのように配置とすることによって、軸受ハウジングの外部側にあっても隠れて位置し、保持部材は軸受ハウジング内部の限りある空間に対しても邪魔とはならなず、さらには、複数のセンサを組み合わせた保持部材の配置を容易に決定することができ、センサは、安全な状態のもとで軸受ハウジングの軸線方向及び半径方向の振動を検出することができる。
【００１８】
本考案は、添付図面に示された実施形態及びそれに関連する説明に限定されることなく、実用新案登録の範囲の請求項の記載を逸脱しない形態の修正や変更が可能である。
【図面の簡単な説明】
【００１９】
【図１】軸受ハウジング内に速度センサ及び温度センサを保持する保持部材示す、軸受ハウジングの下部材の上方からみた斜視図である。
【図２】軸受ハウジングの下部材の底部を下方からみた斜視図であって、軸受ハウジングの台座下部内の空所内で振動センサを保持する保持部材の位置を示している。
【図３】振動センサのための保持部材を有する、図２に示す軸受ハウジングの台座部の拡大図である。
【図４】図２及び図３に示す保持部材の端部からみた斜視図である。
【図５】（ａ）は、保持部材を図４に示したのとは反対側の端部と二つの長手方向側面との方向からみた斜視図であり、（ｂ）は、保持部材に挿入された二つの振動センサのうちの一つを示す図である。
【図６】保持部材を図４における端部からみた図である。
【図７】図６におけるVII−VII線横断面図である。
【図８】図６におけるVIII−VIII線横断面図である。
【符号の説明】
【００２０】
１  下部材
２  台座部
３  主部
４  軸受座
５  開口部
６  保持部材
７，８，９，１０  空所
１１  保持部材
１２  ケーブル
１３  ねじ
１４  凹部
１４ａ  溝
１５  凹部
１６  凹部
１７  凹部
１７ａ  開口部
１８  加速度計
１９  接続線
【図１】
0003113568.tif 000003
【図２】
0003113568.tif 000004
【図３】
0003113568.tif 000005
【図４】
0003113568.tif 000006
【図５】
0003113568.tif 000007
【図６】
0003113568.tif 000008
【図７】
0003113568.tif 000009
【図８】
0003113568.tif 000010